(57)【要約】【課題】輝度低下及び表示むらのない表示装置を提供する。【解決手段】表示装置であって、複数の画素が配置された表示部と、複数の信号線を介して各画素に画素電圧を印加するソースドライバと、外部から入力される映像信号に基づきソースドライバを制御する制御部を有し、第１及び第２画素は、それぞれ第１及び第２副画素を有し、第１副画素は、光出射部と第１色相のカラーフィルタを有し、第２副画素は、光出射部と第２色相のカラーフィルタを有し、第１画素の第１副画素が有する光出射部の面積は、第２画素の第１副画素が有する光出射部の面積よりも小さく、制御部は、第１画素の第１副画素に入力される映像信号が所定値未満の場合に、第１画素の第１副画素に入力される映像信号を、該映像信号が表す輝度より高い輝度を表す映像信号に変換し、ソースドライバは、変換後の映像信号に基づいて第１画素の第１副画素に画素電圧を印加する、ことを特徴とする。【選択図】図５
2015052705.tif 000002
【特許請求の範囲】
【請求項１】
第１及び第２画素を含む、複数の画素がマトリックス状に配置された表示部と、
複数の信号線を介して前記複数の画素に画素電圧を印加するソースドライバと、
外部から入力される映像信号に基づいて前記ソースドライバを制御する制御部と、
を有し、
前記第１及び第２画素は、それぞれ、第１及び第２副画素を有し、
前記第１副画素は、光が出射される光出射部と、第１色相のカラーフィルタと、を有し、前記第２副画素は、前記光出射部と、第２色相のカラーフィルタと、を有し、
前記第１画素の前記第１副画素が有する前記光出射部の面積は、前記第２画素の前記第１副画素が有する前記光出射部の面積よりも小さく、
前記制御部は、前記第１画素の前記第１副画素に入力される前記映像信号が所定値未満である場合に、前記第１画素の前記第１副画素に入力される映像信号を、該映像信号が表す輝度よりも高い輝度を表す映像信号に変換し、
前記ソースドライバは、前記変換後の映像信号に基づいて前記第１画素の前記第１副画素に画素電圧を印加する、
ことを特徴とする表示装置。
【請求項２】
前記第１画素の前記第２副画素が有する光出射部の面積は、前記第２画素の前記第２副画素が有する光出射部の面積と略等しい、
ことを特徴とする請求項１に記載の表示装置。
【請求項３】
前記第１及び第２画素は、さらに、前記第１及び第２副画素と異なる第３副画素をそれぞれ含み、
前記第３副画素は、さらに、前記第１色相及び前記第２色相とは異なる第３色相のカラーフィルタを有し、
前記制御部は、前記変換後の前記第１画素の前記第１副画素に入力される映像信号が前記所定値を超える場合に、前記第１画素の前記第２副画素及び第３副画素に入力される各映像信号を、該各映像信号が表す輝度よりも高い輝度を表す各映像信号に変換する、
ことを特徴とする請求項２に記載の表示装置。
【請求項４】
前記制御部は、前記所定値を超える映像信号と前記所定値との関係に応じて、前記第１画素の前記第２副画素及び第３副画素に入力される各映像信号を変換する、ことを特徴とする請求項３に記載の表示装置。
【請求項５】
前記制御部は、前記変換後の前記第１画素の前記第２及び第３副画素に入力される各映像信号のうち、前記第２または第３副画素に入力される一方の映像信号が所定値を超える場合に、前記第２または第３副画素に入力される他方の映像信号を、該他方の映像信号が表す輝度よりも高い輝度を表す映像信号に変換する、ことを特徴とする請求項３または４に記載の表示装置。
【請求項６】
前記制御部は、前記第２または第３副画素に入力される前記一方の映像信号と前記所定値との関係に応じて、前記第２または第３副画素に入力される前記他方の映像信号を変換することを特徴とする請求項５に記載の表示装置。
【請求項７】
前記制御部は、前記第１乃至第３色相のカラーフィルタの視感度の比率に応じて、前記第１画素の前記第２及び第３副画素に入力される各映像信号を、該各映像信号の表す輝度よりも高い輝度を表す各映像信号に変換することを特徴とする請求項３乃至６のいずれかに記載の表示装置。
【請求項８】
前記第１画素の前記第１副画素は、さらに、光の出射を妨げる干渉部を有し、
前記干渉部によって、前記第１画素の前記第１副画素の前記光出射部の面積は、前記第２画素の前記第１副画素の前記光出射部の面積と比べて小さくなる、
ことを特徴とする請求項１乃至７のいずれかに表示装置。
【請求項９】
前記第１色相は青色である、ことを特徴とする請求項１乃至８のいずれかに記載の表示装置。
【請求項１０】
前記表示装置は、さらに、第１基板と第２基板を有し、前記干渉部は、前記第１基板と前記第２基板の間に配置されたスペーサであることを特徴とする請求項８に記載の表示装置。
【請求項１１】
前記干渉部は、センサーであることを特徴とする請求項８に記載の表示装置。
【請求項１２】
第１及び第２画素を含む、複数の画素がマトリックス状に配置された表示部と、
複数の信号線を介して前記複数の画素に画素電圧を印加するソースドライバと、
外部から入力される映像信号に基づいて前記ソースドライバを制御する制御部と、
を有し、
前記第１及び第２画素は、それぞれ、第１及び第２副画素を有し、
前記第１副画素は、光が出射される光出射部と、第１色相のカラーフィルタと、を有し、前記第２副画素は、前記光出射部と、第２色相のカラーフィルタと、を有し、
前記第１画素の前記第１副画素が有する前記光出射部の面積は、前記第２画素の前記第１副画素が有する前記光出射部の面積よりも小さく、
前記制御部は、前記第１及び第２画素がそれぞれ有する第１副画素に、第１の所定値未満の一定の輝度を表す映像信号が外部から入力される場合に、前記第１画素の前記第１副画素に入力される映像信号を、前記第２画素の前記第１副画素に入力される映像信号が表す輝度よりも高い輝度を表す映像信号に変換し、
前記ソースドライバは、前記変換後の映像信号に基づいて前記第１画素の前記第１副画素に画素電圧を印加する、
ことを特徴とする表示装置。
【請求項１３】
前記第１画素の前記第２副画素が有する前記光出射部の面積は、前記第２画素の前記第２副画素が有する前記光出射部の面積と略等しく、
前記制御部は、前記第１画素の前記第１副画素に入力される前記変換後の映像信号が、前記第１の所定値の輝度を表す映像信号である場合で、かつ、前記第１及び第２画素がそれぞれ有する第２副画素に、第２の所定値未満の一定の輝度を表す映像信号が入力される場合に、前記第１画素の前記第２副画素に入力される映像信号を、前記第２画素の前記第２副画素に入力される映像信号が表す輝度よりも高い輝度を表す映像信号に変換し、
前記ソースドライバは、前記変換後の映像信号に基づいて前記第１画素の前記第２副画素に画素電圧を印加する、
ことを特徴とする請求項１２に記載の表示装置。
【発明の詳細な説明】
【技術分野】
【０００１】
本発明は、表示装置に関する。
【背景技術】
【０００２】
一般に、表示装置においては、いわゆるＴＦＴ（Thin Film Transistor）基板と、当該ＴＦＴ基板と対向するいわゆる対向基板との間隔を保持するためのスペーサを有する。ここで、下記特許文献１においては、スペーサによって開口率が低下しないように、ＴＦＴのソース電極領域にスペーサを設ける点が開示されている。
【先行技術文献】
【特許文献】
【０００３】
【特許文献１】特開平１０−６８９５５号公報
【発明の概要】
【発明が解決しようとする課題】
【０００４】
しかしながら、近年の画素の高精細化により、上記ソース電極領域にのみスペーサを設けることが困難である。この場合、スペーサを画素の開口領域の一部を覆うように設けることもできるが、このように配置すると輝度の低下や表示むらなどが生じる。
【０００５】
本発明は、上記課題に鑑みてなされたものであり、例えば上記のような輝度低下及び表示むらを減少することが出来る表示装置を提供することを目的とする。
【課題を解決するための手段】
【０００６】
（１）本発明の表示装置は、第１及び第２画素を含む、複数の画素がマトリックス状に配置された表示部と、複数の信号線を介して前記複数の画素に画素電圧を印加するソースドライバと、外部から入力される映像信号に基づいて前記ソースドライバを制御する制御部と、を有し、前記第１及び第２画素は、それぞれ、第１及び第２副画素を有し、前記第１副画素は、光が出射される光出射部と、第１色相のカラーフィルタと、を有し、前記第２副画素は、前記光出射部と、第２色相のカラーフィルタと、を有し、前記第１画素の前記第１副画素が有する前記光出射部の面積は、前記第２画素の前記第１副画素が有する前記光出射部の面積よりも小さく、前記制御部は、前記第１画素の前記第１副画素に入力される前記映像信号が所定値未満である場合に、前記第１画素の前記第１副画素に入力される映像信号を、該映像信号が表す輝度よりも高い輝度を表す映像信号に変換し、前記ソースドライバは、前記変換後の映像信号に基づいて前記第１画素の前記第１副画素に画素電圧を印加する、ことを特徴とする。
【０００７】
（２）上記（１）に記載の表示装置において、前記第１画素の前記第２副画素が有する光出射部の面積は、前記第２画素の前記第２副画素が有する光出射部の面積と略等しい、ことを特徴とする。
【０００８】
（３）上記（２）に記載の表示装置において、前記第１及び第２画素は、さらに、前記第１及び第２副画素と異なる第３副画素をそれぞれ含み、前記第３副画素は、さらに、前記第１色相及び前記第２色相とは異なる第３色相のカラーフィルタを有し、前記制御部は、前記変換後の前記第１画素の前記第１副画素に入力される映像信号が前記所定値を超える場合に、前記第１画素の前記第２副画素及び第３副画素に入力される各映像信号を、該各映像信号が表す輝度よりも高い輝度を表す各映像信号に変換する、ことを特徴とする。
【０００９】
（４）上記（３）に記載の表示装置において、前記制御部は、前記所定値を超える映像信号と前記所定値との関係に応じて、前記第１画素の前記第２副画素及び第３副画素に入力される各映像信号を変換する、ことを特徴とする。
【００１０】
（５）上記（３）または（４）に記載の表示装置において、前記制御部は、前記変換後の前記第１画素の前記第２及び第３副画素に入力される各映像信号のうち、前記第２または第３副画素に入力される一方の映像信号が所定値を超える場合に、前記第２または第３副画素に入力される他方の映像信号を、該他方の映像信号が表す輝度よりも高い輝度を表す映像信号に変換する、ことを特徴とする。
【００１１】
（６）上記（５）に記載の表示装置において、前記制御部は、前記第２または第３副画素に入力される前記一方の映像信号と前記所定値との関係に応じて、前記第２または第３副画素に入力される前記他方の映像信号を変換する、ことを特徴とする。
【００１２】
（７）上記（３）乃至（６）のいずれかに記載の表示装置において、前記制御部は、前記第１乃至第３色相のカラーフィルタの視感度の比率に応じて、前記第１画素の前記第２及び第３副画素に入力される各映像信号を、該各映像信号の表す輝度よりも高い輝度を表す各映像信号に変換する、ことを特徴とする。
【００１３】
（８）上記（１）または（７）に記載の表示装置において、前記第１画素の前記第１副画素は、さらに、光の出射を妨げる干渉部を有し、前記干渉部によって、前記第１画素の前記第１副画素の前記光出射部の面積は、前記第２画素の前記第１副画素の前記光出射部の面積と比べて小さくなる、ことを特徴とする。
【００１４】
（９）上記（１）または（８）に記載の表示装置において、前記第１色相は、青色である、ことを特徴とする。
【００１５】
（１０）上記（８）に記載の表示装置において、前記表示装置は、さらに、第１基板と第２基板を有し、前記干渉部は、前記第１基板と前記第２基板の間に配置されたスペーサである、ことを特徴とする。
【００１６】
（１１）上記（８）に記載の表示装置において、前記干渉部は、センサーであることを特徴とする。
【００１７】
（１２）本発明の表示装置は、第１及び第２画素を含む、複数の画素がマトリックス状に配置された表示部と、複数の信号線を介して前記複数の画素に画素電圧を印加するソースドライバと、外部から入力される映像信号に基づいて前記ソースドライバを制御する制御部と、を有し、前記第１及び第２画素は、それぞれ、第１及び第２副画素を有し、前記第１副画素は、光が出射される光出射部と、第１色相のカラーフィルタと、を有し、前記第２副画素は、前記光出射部と、第２色相のカラーフィルタと、を有し、前記第１画素の前記第１副画素が有する前記光出射部の面積は、前記第２画素の前記第１副画素が有する前記光出射部の面積よりも小さく、前記制御部は、前記第１及び第２画素がそれぞれ有する第１副画素に、第１の所定値未満の一定の輝度を表す映像信号が外部から入力される場合に、前記第１画素の前記第１副画素に入力される映像信号を、前記第２画素の前記第１副画素に入力される映像信号が表す輝度よりも高い輝度を表す映像信号に変換し、前記ソースドライバは、前記変換後の映像信号に基づいて前記第１画素の前記第１副画素に画素電圧を印加する、ことを特徴とする。
【００１８】
（１３）上記（１２）に記載の表示装置において、前記第１画素の前記第２副画素が有する前記光出射部の面積は、前記第２画素の前記第２副画素が有する前記光出射部の面積と略等しく、前記制御部は、前記第１画素の前記第１副画素に入力される前記変換後の映像信号が、前記第１の所定値の輝度を表す映像信号である場合で、かつ、前記第１及び第２画素がそれぞれ有する第２副画素に、第２の所定値未満の一定の輝度を表す映像信号が入力される場合に、前記第１画素の前記第２副画素に入力される映像信号を、前記第２画素の前記第２副画素に入力される映像信号が表す輝度よりも高い輝度を表す映像信号に変換し、前記ソースドライバは、前記変換後の映像信号に基づいて前記第１画素の前記第２副画素に画素電圧を印加する、ことを特徴とする。
【図面の簡単な説明】
【００１９】
【図１】本発明の実施の形態に係る表示装置を示す概略図である。
【図２】図１に示したＴＦＴ基板上に形成された画素回路と周辺回路の概念図である。
【図３】本発明の実施形態に係る液晶表示素子の画素を示す平面図である。
【図４】本発明の実施形態に係る液晶表示素子の画素を示す断面図である。
【図５】図２に示した映像信号変換部の内部を説明するための図である。
【図６】映像信号が変換される過程の一例を示す図である。
【図７】映像信号変換部が行う処理フローを示す図である。
【図８】映像信号変換部が行う処理フローを示す図である。
【図９】本発明の実施形態に係る液晶表示素子の画素を示す平面図である。
【発明を実施するための形態】
【００２０】
図１は、本発明の実施の形態に係る表示装置１００を示す概略図である。図１に示すように、例えば、表示装置１００は、ＴＦＴ（Thin film Transistor）等（図示せず）が形成されたＴＦＴ基板１０１と、当該ＴＦＴ基板１０１に対向し、カラーフィルタ（図示せず）が設けられたフィルタ基板を有する。また、表示装置１００は、ＴＦＴ基板１０１及びカラーフィルタ基板１０２に挟まれた領域に封入された液晶層（図示せず）と、ＴＦＴ基板１０１のフィルタ基板側と反対側に接して位置するバックライト１０３を有する。なお、図１に示した表示装置１００の概略は一例であって、本実施の形態はこれに限定されるものではない。
【００２１】
図２は、図１に示したＴＦＴ基板１０１上に形成された画素回路の概念図である。図２に示すように表示装置１００は、例えば、位置情報保持部２００、制御部２０１、タイミング生成部２０２、ゲートドライバ２０３、ソースドライバ２０４、パネル２０５を含む。なお、位置情報保持部２００は、表示装置１００の外部にあってもよい。
【００２２】
位置情報保持部２００は、図３に示すように、後述するスペーサが配置された副画素２１１の位置情報を保持する。具体的には、例えば、位置情報保持部２００は、スペーサが配置された副画素２１１の、パネル２０５上の横及び縦方向の座標情報を保持する。
【００２３】
制御部２０１は、映像信号選択部２０６と、映像信号変換部２０７を含む。制御部は、外部機器から入力される映像信号に基づいてソースドライバを制御する。
【００２４】
映像信号選択部２０６は、位置情報保持部２００が保持する位置情報に基づいて、１フレーム分の映像信号のうち、スペーサが配置された副画素２１１を含む画素２１０に対応する映像信号を選択する。具体的には、例えば、映像信号選択部２０６は、１フレーム分の映像信号の中から、位置情報保持部２００が保持する座標の副画素２１１に対応する映像信号と、当該副画素２１１とともに１つの画素２１０に含まれる副画素２１１に対応する映像信号を選択する。
【００２５】
映像信号変換部２０７は、例えば、映像信号選択部２０６が選択した映像信号を、当該映像信号が表す輝度よりも高い輝度を表す映像信号へ変換する。映像信号変換部２０７の詳細については後述する。
【００２６】
タイミング生成部２０２は、後述するゲートドライバ２０３及びソースドライバ２０４のタイミングを制御する。具体的には、タイミング生成部２０２は、入力された映像信号の解像度に基づいて、ゲートドライバ２０３にゲートドライバ２０３制御信号を出力することにより、ゲートドライバ２０３を制御する。また、タイミング生成部２０２は、入力された映像信号の解像度に基づいて、ソースドライバ２０４にそれぞれソースドライバ２０４制御信号を出力することによりソースドライバ２０４を制御する。
【００２７】
パネル２０５には、複数のゲート線２０８が配置され、当該ゲート線２０８はゲートドライバ２０３に接続される。また、パネル２０５には、複数の映像信号線２０９がゲート線２０８と交差して配置され、当該映像信号線２０９はソースドライバ２０４に接続される。さらに、パネル２０５は、ゲート線２０８及び映像信号線２０９によりマトリクス状に区画された画素２１０を有し、各画素２１０は複数の副画素２１１を含む。各副画素２１１には、それぞれ、ＴＦＴ２１２と画素電極２１３と対向電極（図示なし）とカラーフィルタ（図示なし）が配置される。ＴＦＴ２１２のゲートは、ゲート線２０８に接続され、ソース又はドレインの一方は、映像信号線２０９に接続され、他方は、画素電極２１３に接続される。
【００２８】
ゲートドライバ２０３は、複数のゲート線２０８それぞれに対応する複数の基本回路（図示なし）を有する。なお、各基本回路は、複数のＴＦＴや容量を含んで構成され、映像信号に応じて、１フレーム期間のうち、対応するゲート走査期間（信号ハイ期間）にはハイ電圧となり、それ以外の期間（信号ロー期間）にはロー電圧となるゲート信号を、対応するゲート線２０８に出力する。
【００２９】
ソースドライバ２０４は、複数の映像信号線２０９信号線それぞれに対応する複数の基本回路（図示なし）を有する。各基本回路は、複数のＴＦＴや容量を含んで構成され、複数の映像信号線２０９を介して、制御部２０１が制御する映像信号に応じて、各画素２１０に画素電圧を印加する。
【００３０】
次に、上記のように構成された画素回路の動作の概要について説明する。ゲートドライバ２０３は、ゲート線２０８を介してＴＦＴ２１２のゲートにゲート信号を出力する。更に、ソースドライバ２０４は、ソースドライバ制御信号に基づいて、ゲート信号が出力されたＴＦＴ２１２に対し、映像信号線２０９を介して映像信号の電圧を供給する。そして、当該映像信号の電圧は、ＴＦＴ２１２を介して、画素電極２１３に印加される。この際、画素電極２１３と対向電極との間に電位差が生じる。
【００３１】
ソースドライバ２０４が当該電位差を制御することにより、画素電極２１３と対向電極４１２の間に挿入された液晶層（図示なし）の配光を制御する。ここで、液晶層には、バックライト１０３からの光が案内されていることから、上記のように液晶層の配光等を制御することにより、バックライト１０３からの光の量を調節し、結果として画像を表示する。
【００３２】
次に、図３を参照しながら、パネル２０５上の概略のレイアウトを示す平面図について説明する。図３に示すように、パネル２０５は、マトリックス状に配置された第１乃至第３副画素２１１を含む複数の画素２１０を有する。具体的には、例えば、副画素２１１は、複数のゲート線２０８及び複数の映像信号線２０９によってマトリックス状に区画されて配置されている。そして、光出射部４０１及びカラーフィルタについては後述するが、パネル２０５は、光出射部４０１に相互に異なる色相のカラーフィルタが重なって配置された第１乃至第３副画素２１１を含む画素２１０を有している。なお、１個の画素２１０に含まれる副画素２１１の数は３個に限られず、１個、２個、または、４個以上であってもよい。
【００３３】
各副画素２１１は、ＴＦＴ２１２を有する。具体的には、例えば、各副画素２１１は、ゲート線２０８及び映像信号線２０９が交差する近傍に、ＴＦＴ２１２を有する。そして、ＴＦＴ２１２のゲートは、ゲート線２０８に接続され、ソース又はドレインの一方は、映像信号線２０９に接続され、他方は、ドレイン電極３００を介して画素電極２１３に接続される。
【００３４】
また、パネル２０５は、複数の副画素２１１につき、１つスペーサ３０１を有する。例えば、図３に示すように、２７個の副画素２１１のうち１個の副画素２１１がスペーサ３０１を有し、スペーサがなければ光出射部４０１である領域と重ねて配置される。
【００３５】
なお、パネル２００に配置されたスペーサの大きさは同じものに限らす、大きさの異なるスペーサが配置されていてもよい。具体的には、例えば、一部のスペーサ３０１は大きく、スペーサ３０１がなければ光出射部４０１である領域と重なるように配置され、それ以外のスペーサは小さく、光出射部４０１の面積を変えないように配置されていてもよい。
【００３６】
次に、図４（ａ）及び図４（ｂ）を参照しながら、パネル２０５の断面図について説明する。図４（ａ）は、図３におけるIII−III断面を示す図であり、スペーサ３０１が配置された一画素２１０のＴＦＴ２１２が配置された領域における断面を示している。同様に図４（ｂ）は、図３におけるIII’−III’断面を示す図であり、スペーサ３０１が配置されていない一画素２１０のＴＦＴ２１２が配置された領域における断面を示している。図４（ａ）に示すように、パネル２０５は、ＴＦＴ基板１０１と、カラーフィルタ基板１０２と、ＴＦＴ基板１０１とカラーフィルタ基板１０２の間に配置された液晶層４００を含む。
【００３７】
まず、光出射部４０１と境界部４０２について説明する。各副画素２１１は、光出射部４０１と境界部４０２とを有する。光出射部４０１は、カラーフィルタ基板１０２に赤色カラーフィルタ４０３、緑色カラーフィルタ４０４、青色カラーフィルタ４０５のいずれかが配置され、スペーサ３０１などの遮光物が配置されておらず、バックライトからの光が表示面側に透過する領域である。一方、境界部４０２は、遮光層４０６、または、スペーサ３０１が配置された領域である。
【００３８】
つぎに、ＴＦＴ基板１０１の断面の一例について説明する。ＴＦＴ基板１０１は、第１基板４１１と、当該第１基板４１１に配置されたゲート線２０８、映像信号線２０９、ドレイン電極３００、画素電極２１３、第１配向膜４０８、ゲート絶縁層４０９、及び、半導体層４１０を含む。各副画素２１１が有する光出射部４０１の領域では、ＴＦＴ基板１０１には、主に、第１基板４１１のカラーフィルタ基板１０２側に向かって、順に、ゲート絶縁層４０９、画素電極２１３、第１配向膜４０８が配置される。一方、ＴＦＴ基板１０１の境界部４０２のうち、カラーフィルタ基板１０２側に遮光層４０６が配置された領域では、第１基板４１１のカラーフィルタ基板１０２側に向かって、ＴＦＴ２１２と第１配向膜４０８が配置される。そして、ＴＦＴ２１２は、ゲート線２０８、ゲート絶縁層４０９、半導体層４１０、映像信号線２０９及びドレイン電極３００を含んで形成される。
【００３９】
次に、カラーフィルタ基板１０２の断面の一例について説明する。カラーフィルタ基板１０２は、第２基板４０７と、カラーフィルタ４０３，４０４，４０５と、遮光層４０６と、対向電極４１２と、第２配向膜４１３、及び、スペーサ３０１を含む。各副画素２１１が有する光出射部４０１の領域では、カラーフィルタ基板１０２には、ＴＦＴ基板１０１側に向かって、順に、カラーフィルタ４０３，４０４，４０５、対向電極４１２、及び、第２配向膜４１３が配置される。また、カラーフィルタには、赤色カラーフィルタ４０３、緑色カラーフィルタ４０４、青色カラーフィルタ４０５が含まれる。
【００４０】
なお、図４（ａ）及び図４（ｂ）に示す実施形態では、カラーフィルタ４０３，４０４，４０５は、赤色、緑色、及び、青色の色相のカラーフィルタを示しているが、１個の画素２１０に含まれるカラーフィルタの色相は、赤緑青色の組み合わせに限られない。１個の画素２１０に含まれるカラーフィルタの色相には、赤緑青白色や赤緑青黄色などの４色の組み合わせや、他の組み合わせが含まれてもよい。
【００４１】
また、各副画素２１１の境界部４０２のうち、遮光層４０６が配置された領域では、第２基板４０７のＴＦＴ基板１０１側に、順に、遮光層４０６、対向電極４１２、及び、第２配向膜４１３が順に配置される。また、各副画素２１１の境界部４０２のうち、スペーサ３０１が配置された境界部４０２には、第２基板４０７のＴＦＴ基板１０１側に、遮光層４０６もしくはカラーフィルタ４０３，４０４，４０５が配置され、遮光層４０６及びカラーフィルタ４０３，４０４，４０５に重ねて、順に、スペーサ３０１、対向電極４１２、及び、第２配向膜４１３が配置される。
【００４２】
スペーサ３０１は、複数の副画素２１１のうち１つの副画素２１１について、スペーサ３０１が配置されていなければ光出射部４０１である領域と重ねて配置される。その為、スペーサ３０１が配置された副画素２１１が有する光出射部４０１の面積は、スペーサ３０１が配置されていない副画素２１１が有する光出射部４０１の面積よりも小さい。なお、スペーサ３０１が配置されていない第２副画素２１１及び第３副画素２１１が有する光出射部４０１の面積はいずれも略等しい。
【００４３】
なお、スペーサ３０１は、複数の色相のカラーフィルタのうち、最も視感度の低い色相のカラーフィルタが配置された副画素２１１に配置することが望ましい。この場合、視感度の異なる各色相のカラーフィルタのうち、最も視感度の低い色相のカラーフィルタが配置された副画素２１１の光出射部４０１と重ねてスペーサ３０１を配置することで、スペーサ３０１による輝度の低下を軽減できる。
【００４４】
例えば、本発明の実施形態では、赤緑青各色の視感度比率は、およそ、青：赤：緑＝１．１：３：５であり、赤緑青各色のカラーフィルタ４０３，４０４，４０５の中で、青色カラーフィルタ４０５を通って光出射部４０１から出射される光の視感度が最も低い。従って、青色の副画素２１１の遮光物が配置されていない領域と重ねてスペーサ３０１を配置した場合は、赤色または緑色の副画素２１１の遮光物が配置されていない領域と重ねてスペーサ３０１を配置する場合よりも、画素２１０の輝度低下を軽減できる。なお、以下の説明において、第１副画素２１１はスペーサ３０１が配置され、光出射部４０１の面積が小さくなった副画素２１１とし、第２及び第３副画素２１１はスペーサ３０１が配置されていない副画素２１１とする。
【００４５】
具体的には、図４（ａ）に示すように、スペーサ３０１は、図４（ｂ）に示すスペーサ３０１が配置されていなければ光出射部４０１である領域と重ねて配置される。また、赤緑青色のカラーフィルタ４０３，４０４，４０５が配置された副画素２１１のうち、青色カラーフィルタ４０５を有する副画素２１１にスペーサ３０１が配置される。なお、図４（ｂ）に示すように、スペーサ３０１が配置されていない青色副画素２１１の平面及び断面は、赤色及び緑色カラーフィルタ４０３，４０４が配置された副画素２１１の平面及び断面と、カラーフィルタの色相を除いて同等である。なお、第１及び第２配向膜４０８，４１３、ゲート絶縁層４０９、偏光板、遮光層４０６、カラーフィルタ４０３，４０４，４０５、及び、液晶層４００については、従来技術と同等であるため、説明を省略する。
【００４６】
次に、図５を用いて、映像信号変換部２０７の構成と各構成の動作を説明する。映像信号変換部２０７は、変換比率保持部５００、視感度比率保持部５０１、所定値保持部５０２、経過情報保持部５０３、所定値変換部５０４、差分算出部５０５、判定部５０６、及び、増幅部５０７を有する。
【００４７】
変換比率保持部５００は、スペーサ３０１が配置されることによって低下した光出射部４０１の面積の低下した割合、すなわち光出射部４０１の面積の比率（以下、光出射面積比と呼ぶ）を保持する。具体的には、例えば、スペーサ３０１が配置されていない副画素２１１の光出射部４０１の面積を１００とした場合に、スペーサ３０１が配置された副画素２１１の光出射部４０１の面積が８０であれば、変換比率保持部５００は、８０％という光出射面積比を保持する。なお、変換比率保持部５００は、スペーサ３０１が配置された複数の副画素２１１のうち、各々の副画素２１１の光出射面積比を個別に保持していてもよいし、全ての副画素２１１に共通の光出射面積比を保持していてもよい。
【００４８】
視感度比率保持部５０１は、各カラーフィルタを通って光出射部４０１から出射される光の視感度の比率（以下、視感度比率と呼ぶ）を保持する。具体的には、例えば、１個の画素２１０に含まれる各副画素２１１に、赤緑青色のカラーフィルタ４０３，４０４，４０５がそれぞれ配置される場合、視感度比率保持部５０１は、青：赤：緑＝１．１：３：５という視感度比率を保持する。
【００４９】
所定値保持部５０２は、１つの画素２１０に含まれる各副画素２１１それぞれに対応する映像信号について、それぞれソースドライバ２０４が制御する上限である所定値を保持する。例えば、１個の画素２１０が第１乃至第３副画素２１１を含む場合は、所定値保持部５０２は、それぞれ対応する第１乃至第３所定値を保持する。なお、１個の画素２１０が１、２または４個以上の副画素２１１を含む場合は、それぞれ対応する所定値を保持する。具体的には、例えば、１個の画素２１０に赤緑青の３個の副画素２１１が含まれ、各副画素２１１に対応する各映像信号がそれぞれ８ビットである場合を一例として説明すると、各映像信号の範囲は０乃至２５５階調となる。そのため、第１乃至第３の映像信号の所定値はいずれも２５５階調となる。なお、映像信号の所定値は色ごとに異なっていてもよい。例えば、赤色、及び、青色の映像信号の所定値は３２階調で、緑色映像信号の所定値は６４階調であってもよい。
【００５０】
経過情報保持部５０３は、１個の画素２１０に含まれる各副画素２１１に入力する各映像信号、及び、各副画素２１１に配置されたカラーフィルタの色相の組み合わせに関する情報（以下、色情報と呼ぶ）を保持する。具体的には、例えば、経過情報保持部５０３は、後述する増幅部５０７が増幅を行う各過程における、各映像信号と対応する映像信号が所定値未満である色情報を保持する。すなわち、経過情報保持部５０３は、各過程で変化する各映像信号及び色情報を一時的に保存する。また、経過情報保持部５０３の動作の具体例については後述する。
【００５１】
所定値変換部５０４は、例えば、後述する判定部５０６が、第１乃至第３映像信号が所定値を超えると判定した場合、当該所定値を超えた映像信号を、それぞれ対応する第１乃至第３映像信号の所定値に変換する。具体的には、後述する増幅部５０７による変換後の青色映像信号が３１５階調であり、青色映像信号の所定値が２５５階調である場合、所定値変換部５０４は、青色映像信号を２５５階調に変換する。
【００５２】
差分算出部５０５は、例えば、所定値変換部５０４が第１乃至第３映像信号を所定値に変換する場合に、第１乃至第３所定値を超えた映像信号と、それぞれ対応する第１乃至第３所定値との差分を算出する。例えば上記の例では、後述する増幅部５０７による変換後の青色映像信号が３１５階調であり、青色映像信号の所定値が２５５階調であるため、差分算出部５０５は、６０階調という差分を算出する。
【００５３】
判定部５０６は、後述する増幅部５０７によって変換された各色の副画素２１１に対応する各映像信号が、各所定値を超えるか判定を行う。具体的には、例えば、増幅部５０７による変換後の青色映像信号が３００階調であり、青色映像信号の所定値が２５５階調である場合、判定部５０６は、変換後の青色映像信号は青色映像信号の所定値を超えると判定する。
【００５４】
増幅部５０７は、入力された映像信号が表す輝度を増幅する。具体的には、例えば、映像信号選択部２０６が選択した映像信号を、当該映像信号が表す輝度よりも高い輝度を表す映像信号に変換する。この際、増幅部５０７は、光出射面積比、視感度比率、差分算出部５０５の算出結果、または、経過情報保持部５０３が保持する色情報に基づいて映像信号を変換する。増幅部５０７が映像信号を変換する際に用いる情報は状況に応じて異なるが、以下に、各状況において増幅部５０７が行う映像信号変換の具体例を、図６を用いて説明する。
【００５５】
図６は、１個の画素２１０に含まれる第１乃至第３副画素２１１にそれぞれ対応する第１乃至第３映像信号を増幅部５０７が増幅する各過程において、経過情報保持部５０３が保持する、各副画素２１１に対応する各映像信号、及び、色情報を示す。なお、上記具体例を説明するにあたって、１個の画素２１０は第１乃至第３副画素２１１を含み、第１副画素２１１には、青色カラーフィルタが配置され、第２副画素２１１には、赤色カラーフィルタが配置され、第３副画素２１１には、緑色カラーフィルタが配置されているものとする。また、青色副画素２１１にスペーサ３０１が配置され、光出射面積比は８０％であるとする。また、視感度比率は、青：赤：緑＝１．１：３：５であるとする。また、映像信号選択部２０６が選択した映像信号は、図６の２行目に示すように（青，赤，緑）＝（２５２，２５０，１００）であり、赤色、緑色、青色の映像信号の所定値はいずれも２５５階調であるとする。さらに、映像信号と輝度は正比例する、すなわち、映像信号と輝度の相関関係を表すγ特性が１である、として以下の説明を行う。
【００５６】
まず、映像信号選択部２０６が１個の画素２１０に対応する各映像信号を選択した際に、増幅部５０７は、当該各映像信号のうち、スペーサ３０１が配置された第１副画素２１１に対応する映像信号を変換する（第１の処理）。この際、増幅部５０７は、光出射面積比に応じて、当該第１副画素２１１に対応する第１の処理前の第１映像信号が表す輝度よりも高い輝度を表す第１映像信号に変換する。つまり、スペーサ３０１が配置された副画素２１１の輝度が、第１の処理前の第１映像信号がスペーサ３０１の配置されていない副画素２１１に入力された場合の輝度と略同一となるように、映像信号を変換する。これにより、増幅部５０７は、スペーサ３０１が配置されることによる当該副画素２１１の輝度の低下を補償する。
【００５７】
上記具体例では、増幅部５０７は、青色映像信号２５２階調を、光出射面積比８０％に基づいて変換する。つまり、増幅部５０７は、映像信号２５２階調を０．８で除算した３１５階調という映像信号に変換する。なお、増幅部５０７は、第１の処理において、赤色及び緑色映像信号の変換は行わない。従って、図６で示すように、第１の処理後の経過情報保持部５０３は、（青，赤，緑）＝（３１５，２５０，１００）という各映像信号を保持する。なお、後にフローチャートを用いて説明するが、次の判定部５０６による判定の後で、第２の処理の前に、所定値変換部５０４は、第１の処理後に所定値を超えた青色映像信号３１５階調を青色映像信号の所定値２５５階調に変換する。
【００５８】
また、上記具体例では、判定部５０６は、青色映像信号が青色映像信号の所定値を超えると判定しているため、経過情報保持部５０３は、初期状態から保持していた青色、赤色、および、緑色という色情報から、青色という情報を削除する。従って、図６で示すように、第１の処理後の経過情報保持部５０３は、赤色及び緑色という色情報を保持する。
【００５９】
次に、第１の処理後の第１副画素２１１に対応する第１映像信号について判定部５０６が判定を行い、判定部５０６が所定値を超えると判定した際、増幅部５０７は、第２及び第３副画素２１１に対応する第２及び第３映像信号を、第２及び第３映像信号が表す輝度よりも高い輝度を表す映像信号に変換する（第２の処理）。この際、増幅部５０７は、第１の処理による変換後の第１映像信号と第１所定値との関係、及び、視感度比率に応じて、第２及び第３映像信号を変換する。
【００６０】
具体的には、例えば、増幅部５０７は、第１所定値と第１の処理後の第１映像信号の差分が表す輝度を第１副画素２１１以外の副画素２１１の数で等分する。その等分された輝度に対応して、第１副画素２１１以外の副画素２１１の輝度がそれぞれ増加されるように、第１副画素２１１以外の副画素２１１に入力する映像信号を変換する。これにより、スペーサ３０１が配置されることによる輝度の低下を、第１映像信号を変換するだけでは当該画素２１０の輝度を補償できない場合であっても、画素２１０単位で補償することができる。
【００６１】
なお、第１所定値と第１映像信号の差分を等分する場合について説明したが、差分を等分する場合に限られず、特定の副画素の輝度を優先的に増幅させてもよい。例えば、１個の画素が、赤色、緑色、青色、白色の４色の副画素を含む場合であって、上記第２の処理を行う場合には、白色の副画素のみ、所定値を超えた青色映像信号と所定値の差分が表す輝度の量を増加させるようにしてもよい。この場合、赤色及び緑色映像信号の表す輝度を増加させる場合よりも、色相の変化を軽減できる。なお、判定部５０６が所定値を超えないと判定した場合、第２及び後述する第３の処理は行わない。
【００６２】
上記具体例では、増幅部５０７は、赤色映像信号２５０と緑色映像信号１００を変換する。この場合、青色映像信号３１５と第１所定値２５５の差は６０階調であり、青色映像信号６０階調が表す輝度の量に基づいて、赤色映像信号２５０階調が表す輝度と、緑色映像信号１００階調が表す輝度を、増幅する。この時、赤色副画素２１１と緑色副画素２１１の輝度を均等に増幅するため、増幅部５０７は、赤色及び緑色副画素２１１の輝度に対して、それぞれ青色映像信号６０階調が表す輝度を等分して加算する。
【００６３】
ここで、赤色と青色の視感度比率は、赤：青＝３：１．１であるため、青色映像信号６０階調が表す輝度の１／２の輝度は、赤色映像信号１１階調が表す輝度に相当する。従って、増幅部５０７は、赤色映像信号２５０階調を２６１階調に変換する。同様に、緑色と青色の視感度比率は、緑：青＝５：１．１であるため、青色映像信号６０階調が表す輝度の１／２の輝度は、緑色映像信号６．６階調が表す輝度に相当する。ここで、階調は整数値であるため、増幅部５０７は、適宜四捨五入等を行う。そのため、増幅部５０７は、緑色映像信号１００階調を１０７階調に変換する。従って、図６で示すように、第２の処理後の各映像信号は、（青，赤，緑）＝（２５５，２６１，１０７）となる。なお、後にフローチャートを用いて説明するが、次の判定部５０６による判定の後で、第３の処理の前に、所定値変換部５０４は、第２の処理後に所定値を超えた赤色映像信号２６１階調を赤色映像信号の所定値２５５階調に変換する。
【００６４】
また、上記具体例では、判定部５０６は、赤色映像信号が赤色映像信号の所定値を超えると判定しているため、経過情報保持部５０３は、第１の処理後に保持している赤色、および、緑色という色情報から、赤色という情報を削除する。従って、図６で示すように、第２の処理後の経過情報保持部５０３は、緑色という色情報を保持する。
【００６５】
次に、第２の処理後の第２及び第３映像信号について判定部５０６が判定を行い、判定部５０６が第２及び第３映像信号の一方が第２又は第３所定値を超えると判定した際、増幅部５０７は、他方の映像信号を、当該他方の映像信号が表す輝度よりも高い輝度を表す映像信号に変換する（第３の処理）。この際、増幅部５０７は、第２の処理による変換後の第２又は第３映像信号と第２又は第３所定値との関係、視感度比率、及び、経過情報保持部５０３が保持する色情報に応じて、第２又は第３映像信号を変換する。なお、判定部５０６が、第２及び第３映像信号が共に所定値を超えると判定した場合、及び、共に所定値を超えないと判定した場合は、第３の処理は行わない。
【００６６】
上記具体例では、赤色映像信号２６１と赤色映像信号の所定値２５５の差は６階調であり、赤と緑の視感度比率は赤：緑＝３：５であるため、赤色映像信号６階調が表す輝度は、緑色映像信号３．６階調が表す輝度に相当する。ここで、階調は整数値であるため、増幅部５０７は、適宜四捨五入等を行い、また、経過情報保持部５０３が緑色という色情報を保持していることから、緑色映像信号１０７階調を１１１階調に変換する。従って、図６で示すように、第３の処理後の各映像信号は、（青，赤，緑）＝（２５５，２５５，１１１）となる。
【００６７】
なお、第３の処理の後に、所定値を超える映像信号がある場合、所定値変換部５０４は、当該所定値を超えた映像信号を所定値に変換する。上記具体例では、緑色映像信号は１１１階調であり、緑色映像信号の所定値２５５を超えない為、所定値変換部５０４は、緑色映像信号の変換を行わない。従って、ソースドライバは、変換後の（青，赤，緑）＝（２５５，２５５，１１１）という映像信号によって、映像信号選択部２０６が選択した１個の画素に含まれる各副画素に画素電圧を印加する。
【００６８】
次に、映像信号変換部２０７の動作を、図７、図８及び、上記と同じ具体例を用いて説明する。まず、映像信号選択部２０６には、例えば、外部機器から１フレーム分の映像信号が入力される（Ｓ７０１）。次に、映像信号選択部２０６は、位置情報保持部２００が保持する位置情報に基づいて、１フレーム分の映像信号の中から、スペーサ３０１が配置された副画素２１１を含む画素２１０に対応する映像信号を選択する（Ｓ７０２）。上記具体例では、映像信号選択部２０６は、（青，赤，緑）＝（２５２，２５０，１００）という１画素分の映像信号を選択する。なお、選択されない映像信号は、外部機器から入力された状態のまま、ソースドライバ２０４へ出力される（Ｓ７１２）。
【００６９】
次に、経過情報保持部５０３は、１個の画素２１０に含まれる各副画素２１１に配置されたカラーフィルタの色の組み合わせに関する色情報を保持する（Ｓ７０３）。上記具体例では、赤色、緑色、青色という組み合わせの色情報を保持する。
【００７０】
次に、増幅部５０７は、映像信号選択部２０６が選択した映像信号のうち、スペーサ３０１が配置された第１副画素２１１に対応する第１映像信号を、光出射面積比に応じて変換する（Ｓ７０４）。上記具体例では、増幅部５０７は、２５２階調という青色映像信号を、８０％という光出射面積比に基づいて、３１５階調という青色映像信号に変換する。
【００７１】
次に、判定部５０６は、Ｓ７０４において増幅部５０７によって変換された映像信号が、所定値を超えるか、判定を行う（Ｓ７０５）。変換後の映像信号が所定値を超える場合はＳ７０６へ進み、超えない場合はＳ７１２へ進む。上記具体例では、３１５階調は２５５階調より大きい為、判定部５０６は、変換後の映像信号は所定値を超える、と判定する。なお、Ｓ７０５において、変換後の第１映像信号が第１所定値を超えないと判定された場合は、第１乃至第３映像信号は、ソースドライバ２０４へ出力される（Ｓ７１２）。
【００７２】
次に、Ｓ７０５において判定部５０６が変換後の第１映像信号が第１所定値を超えると判定した場合、経過情報保持部５０３は、Ｓ７０５において第１映像信号に対応する副画素２１１に配置されたカラーフィルタの色情報を削除する（Ｓ７０６）。上記具体例では、青色映像信号が飽和したため、経過情報保持部５０３は、赤色、緑色、青色という色情報から青色という色情報を削除する。その結果、経過情報保持部５０３は、赤色及び緑色という色情報を保持する。
【００７３】
次に、所定値変換部５０４は、所定値を超えた第１映像信号を、第１所定値に変換する（Ｓ７０７）。上記具体例では、Ｓ７０４において、判定部５０６が、青色映像信号は青色映像信号の所定値を超えると判定しているため、所定値変換部５０４は、青色映像信号３１５階調を、青色映像信号の所定値２５５階調に変換する。
【００７４】
続いて、差分算出部５０５は、Ｓ７０７において所定値変換部５０４が変換する前の第１所定値を超えた第１映像信号と、第１所定値の差分を算出する（Ｓ７０８）。具体例では、差分算出部５０５は、青色映像信号３１５階調と青色映像信号の所定値２５５階調の差分６０階調を算出する。
【００７５】
次に、増幅部５０７は、Ｓ７０９前の第２及び第３映像信号を、Ｓ７０９前の第２及び第３映像信号が表す輝度よりも高い輝度を表す第２及び第３映像信号に変換する（Ｓ７０９、Ｓ７１０）。上記具体例では、増幅部５０７は、赤色映像信号２５０階調を２６１階調に変換し、緑色映像信号１００階調を１０７階調に変換する。
【００７６】
次に、判定部５０６は、Ｓ７０８及びＳ７０９において、増幅部５０７によって変換された第２及び第３映像信号が、第２及び第３所定値を超えるかどうか判定を行う（Ｓ７１１，Ｓ８０１）。なお、フローチャートを記載する都合上、Ｓ７１１とＳ８０１を分けて記載しているが、判定部５０６はＳ７１１とＳ８０１の処理を同時に行う。Ｓ７０８及びＳ７０９における変換後の第２及び第３映像信号が、ともに第２及び第３所定値を超えない場合はＳ７１２へ進み、第２及び第３映像信号がともに所定値を超える場合はＳ８０２へ進み、第２及び第３映像信号のうち一方の映像信号が対応する所定値を超える場合はＳ８０３へ進む。
【００７７】
Ｓ７１２へ進んだ場合は、第１乃至第３映像信号は、ソースドライバ２０４へ出力される。Ｓ８０２へ進んだ場合は、第２及び第３映像信号は、それぞれ第２及び第３所定値に変換された上で、ソースドライバ２０４へ出力される。上記具体例では、赤色映像信号２６０階調は、赤色映像信号の所定値２５５を超え、緑色映像信号１０７階調は、緑色映像信号の所定値２５５を超えないため、判定部５０６は、第２及び第３の映像信号のうち一方の映像信号が対応する所定値を超えると判定する。従って、Ｓ８０３へ進む。
【００７８】
次に、Ｓ７１１及びＳ８０１において、判定部５０６が、第２及び第３の映像信号のうち一方の映像信号が対応する所定値を超えると判定した場合、経過情報保持部５０３は、Ｓ７１１及びＳ８０１において所定値を超えると判定した映像信号に対応する色情報を削除する（Ｓ８０３）。上記具体例では、赤色映像信号が赤色映像信号の所定値を超えると判定されたため、経過情報保持部５０３は、Ｓ８０３の前に保持している赤色及び緑色という色情報から、赤色という色情報を削除する。
【００７９】
次に、所定値変換部５０４は、Ｓ７１１及びＳ８０１において、所定値を超えたと判定された映像信号を、対応する所定値に変換する（Ｓ８０４）。上記具体例では、Ｓ７１１及びＳ８０１において、判定部５０６が、赤色映像信号が赤色映像信号の所定値を超えると判定しているため、所定値変換部５０４は、赤色映像信号２６１階調を、２５５階調に変換する。続いて、差分算出部５０５は、Ｓ８０４において、所定値変換部５０４が変換した映像信号の差分を算出する（Ｓ８０５）。上記具体例では、差分算出部５０５は、赤色映像信号２６１階調と２５５階調の差分６階調を算出する。
【００８０】
次に、増幅部５０７は、Ｓ７１１及びＳ８０１において、経過情報保持部５０３の保持する情報と、Ｓ８０５における差分算出部５０５の算出結果に基づいて、所定値を超えていないと判定された第２又は第３映像信号の一方を変換する（Ｓ８０６）。上記具体例では、経過情報保持部５０３は緑色の色情報を保持しているため、緑色映像信号１０７階調を１１１階調に変換する。
【００８１】
次に、判定部５０６は、Ｓ８０６において変換された第２または第３映像信号が、対応する所定値を超えるか判定する（Ｓ８０７）。Ｓ８０７において、第２または第３映像信号が、第２または第３所定値を超えると判定された場合は、所定値変換部５０４は、所定値を超えると判定された第２または第３映像信号を、対応する所定値に変換する（Ｓ８０８）。
【００８２】
Ｓ８０７において、第２または第３映像信号が、対応する所定値を超えないと判定された場合は、第１乃至第３映像信号は、ソースドライバ２０４へ出力される（Ｓ８０９）。上記具体例では、変換後の映像信号はいずれも所定値を超えていない為、（青，赤，緑）＝（２５５，２５５，１１１）という映像信号がソースドライバ２０４へ出力される。
【００８３】
なお、上記の説明では、スペーサが配置された１個の画素について映像信号を変換する場合について説明を行ったが、スペーサが配置された他の画素についても、映像信号変換部は、上記と同様の映像信号の変換を行う。一方、スペーサが配置されていない画素に入力される映像信号は映像信号選択部２０６に選択されないため、映像信号変換部は、スペーサが配置されていない画素に入力される映像信号について、上記と同様の映像信号の変換を行わない。従って、スペーサが配置された画素とスペーサが配置されていない画素に、所定値未満の一定輝度を表す映像信号が入力される場合、スペーサが配置されていない画素よりもスペーサが配置された画素に対して、ソースドライバ２０４は高い輝度を表す映像信号を出力する。
【００８４】
以上のように、映像信号変換部２０７は、スペーサ３０１による輝度低下および表示むらを、当該副画素２１１が属する画素２１０の映像信号を変換することによって、軽減する。本発明は、上記実施形態に限定されるものではなく、種々の変形が可能である。例えば、上記実施の形態で示した構成と実質的に同一の構成、同一の作用効果を奏する構成又は同一の目的を達成することができる構成で置き換えることができる。
【００８５】
具体的には、例えば、上記においては、上記の具体例では、γ特性が１であるとして説明を行ったが、実際には、γ特性が２．２であってもよいし、その他の値であってもよい。ただし、γ特性が１でない場合は、増幅部５０７は、γ特性が１である場合と輝度の増幅の度合が同じとなるように、映像信号変換を行う。
【００８６】
また、上記においては、青色副画素２１１にスペーサ３０１が配置される場合について説明したが、これに限られない。例えば、赤色や緑色副画素２１１にスペーサ３０１が配置される構成であってもよいし、図９に示すように、スペーサ３０１が、青色副画素２１１と共に赤色副画素２１１に配置される構成、または、その他の組み合わせであってもよい。１つの画素２１０を形成する副画素２１１のうち、複数の副画素２１１にスペーサ３０１が配置される構成の場合は、増幅部５０７は、各々の副画素２１１に配置されたスペーサ３０１による光透過部の面積の低下比率に基づいて、各々の副画素２１１に対応する映像信号を変換する。
【００８７】
さらに、上記説明では、１つの画素２１０が、赤緑青３色の副画素２１１から形成される構成される場合について説明した。しかしながら、本発明は、１つの画素２１０が赤緑青３色の副画素２１１から形成される構成される場合に限られず、白色や黄色の副画素２１１を加えた赤緑青白や赤緑青黄という４色の副画素２１１から形成される構成であってもよい。また、１つの画素２１０が、４色以上の副画素２１１から形成される構成であってもよい。
【００８８】
また、特許請求の範囲に記載の干渉部は、例えば上記スペーサ３０１が相当する。しかしながら、干渉部は、スペーサに限られずセンサー等であってもよい。具体的には、例えば、パネル２０５に対して、バックライト１０３の反対側から入射する外光の強度を検知するフォトセンサーが、スペーサ３０１の代わりに配置されてもよい。なお、センサーは、フォトセンサーに限らず、静電容量の変化を検知するセンサーなど、他のセンサーであってもよい。
【００８９】
また、以上の説明においては、液晶表示装置を想定して説明したが、有機ＥＬ素子、無機ＥＬ素子やＦＥＤ（Field-Emission Device）など、各種の発光素子を用いた表示装置であってもよい。また、以上説明した表示装置１００は、パソコン用ディスプレイ、ＴＶ放送受信用ディスプレイ、公告表示用ディスプレイ等の各種の情報表示用の表示装置として採用できる。また、デジタルスチルカメラ、ビデオカメラ、カーナビゲーションシステム、カーオーディオ、ゲーム機器、携帯情報端末など、各種の電子機器の表示部として利用することも可能である。
【符号の説明】
【００９０】
ｓ１００  表示装置、１０１  ＴＦＴ基板、１０２  カラーフィルタ基板、１０３  バックライト、２００  位置情報保持部、２０１  制御部、２０２  タイミング生成部、２０３  ゲートドライバ、２０４  ソースドライバ、２０５  パネル、２０６  映像信号選択部、２０７  映像信号変換部、２０８  ゲート線、２０９  映像信号線、２１０  画素、２１１  副画素、２１２  ＴＦＴ、２１３  画素電極、３００  ドレイン電極、３０１  スペーサ、４００  液晶層、４０１  光出射部、４０２  境界部、４０３  赤色カラーフィルタ、４０４  緑色カラーフィルタ、４０５  青色カラーフィルタ、４０６  遮光層、４０７  第２基板、４０８  第１配向膜、４０９  ゲート絶縁層、４１０  半導体層、４１１  第１基板、４１２  対向電極、４１３  第２配向膜、５００  変換比率保持部、５０１  視感度比率保持部、５０２  所定値保持部、５０３  経過情報保持部、５０４  所定値変換部、５０５  差分算出部、５０６  判定部、５０７  増幅部。
【図１】
2015052705.tif 000003
【図２】
2015052705.tif 000004
【図３】
2015052705.tif 000005
【図４】
2015052705.tif 000006
【図５】
2015052705.tif 000007
【図６】
2015052705.tif 000008
【図７】
2015052705.tif 000009
【図８】
2015052705.tif 000010
【図９】
2015052705.tif 000011